(57)【特許請求の範囲】
【請求項１】
被取付部材の外面に該被取付部材の長手方向と直交するように成形止水材を取り付け、該成形止水材を取り付けた被取付部材を埋設した直方体状のコンクリートブロックを成形し、該埋設した被取付部材の長手方向の一端部を上記コンクリートブロックの一側面において開放すると共に同他端部を上記コンクリートブロックの他側面において開放する構成を有し、該被取付部材の一端部とその周囲の上記コンクリートブロックの一側面を浸水させる貯水部と、該貯水部に給水する給水手段と、該給水手段により上記貯水部に貯まった水を加圧する加圧手段と、上記貯水部に貯まった水の水圧を測定する水圧測定手段とを備え、上記貯水部内の上記コンクリートブロックの一側面から上記被取付部材の外面に沿う間隙を通じ浸入する侵入水が上記コンクリートブロックの他側面から染み出したか否かによって上記止水材による止水状態を確認すると共に当該止水状態と上記貯水部における水圧との相関関係を確認する成形止水材の止水検査装置において、上記被取付部材の他端部を固定する固定部を備え、該固定部により上記被取付部材が上記貯水部における水圧により上記コンクリートブロックから抜け外れるのを防止することを特徴とする成形止水材の止水検査装置。
【請求項２】
上記コンクリートブロックの上記一側面及び上記他側面以外の四面を金属製の板で覆い、当該コンクリートブロックの崩壊を防止することを特徴とする請求項１記載の成形止水材の止水検査装置。
【請求項３】
以下のＡ乃至Ｇの工程を有することを特徴とする成形止水材の止水検査方法。
Ａ：被取付部材の外面に該被取付部材の長手方向と直交するように成形止水材を取り付ける、
Ｂ：上記成形止水材を取り付けた被取付部材を埋設した直方体状のコンクリートブロックを成形し、該埋設した被取付部材の長手方向の一端部を上記コンクリートブロックの一側面において開放すると共に同他端部を上記コンクリートブロックの他側面において開放する、
Ｃ：上記被取付部材の他端部を固定し該被取付部材が上記貯水部における水圧により上記コンクリートブロックから抜け外れるのを防止する、
Ｄ：該被取付部材の一端部とその周囲の上記コンクリートブロックの一側面を浸水させる貯水部と、該貯水部に給水する給水手段と、該給水手段により上記貯水部に貯まった水の水圧を測定する水圧測定手段とを用意し、上記貯水部に上記給水手段により給水する、
Ｅ：加圧手段を用意し、上記貯水部内に貯まった水を加圧する、
Ｆ：上記貯水部内の上記コンクリートブロックの一側面から上記被取付部材の外面に沿う間隙を通じ浸入する侵入水が上記コンクリートブロックの他側面から染み出したことを確認できるまで上記加圧手段による加圧を継続する、
Ｇ：上記侵入水が上記コンクリートブロックの他側面から染み出したか否かによって上記止水材による止水状態を確認すると共に当該止水状態と上記貯水部における水圧との相関関係を確認する。
【請求項４】
上記コンクリートブロックの上記一側面及び上記他側面以外の四面を金属製の板で覆い、当該コンクリートブロックの崩壊を防止することを特徴とする請求項３記載の成形止水材の止水検査方法。
【発明の詳細な説明】
【技術分野】
【０００１】
本発明は打設コンクリートと該打設コンクリート内に埋設される部材の外面間に生ずる微細間隙又は隣接するコンクリート二次製品間に生ずる間隙内に介在配置し止水に供する成形止水材の止水状態を検査する装置又は方法に関するものである。
【背景技術】
【０００２】
配管用スリーブや型枠用セパレータの如きコンクリート内に埋設される部材の埋設部分には当該部材の外面と打設コンクリート間に構造物の外部から内部に通ずる微細間隙が生じ、又ボックスカルバートやトンネルセグメントの如きコンクリート二次製品の継手部分にも構造物の外部から内部に通ずる間隙が生じ、これら間隙を通じて浸入する雨水や地下水等の浸入水が構造物内部へ到達するのを阻止する成形止水材が種々開発されている。
【０００３】
上記用途に用いる成形止水材の止水検査を行う装置又は方法として、従来は確立したものが存在せず、簡便且つ適切に止水検査を行うことができる検査装置又は検査方法が望まれている。
【０００４】
従来の止水検査装置の一例として、図７・図８に示す装置が既知であり、当該装置は円筒状の被取付部材２１の外周面２１ａに該被取付部材２１の長手方向と直交するようにリング状の成形止水材２２を二個取り付け、該二個の成形止水材２２を取り付けた被取付部材２１を埋設した直方体状のコンクリートブロック２３を成形し、該埋設した被取付部材２１の長手方向の一端部２１ｂを上記コンクリートブロックの一側面２３ａにおいて開放すると共に同他端部２１ｃを上記コンクリートブロックの他側面２３ｂにおいて開放する構成を有している。
【０００５】
加えて、給水管２４を上記コンクリートブロック２３の成形時に垂直に埋設し、該給水管２４の給水口２４ａを上記被取付部材２１に取り付けられた二個の成形止水材２２間における外周面２１ａ上で解放する構成を有している。又図中２５は給水管２４の給水口２４ａから供給された水が両脇の上記成形止水材２２によって止水され、当該止水されて貯まった水の水圧を測定する水圧測定手段である。
【発明の概要】
【発明が解決しようとする課題】
【０００６】
上記従来の止水検査装置にあっては、コンクリートブロック２３の成形時に給水管２４を埋設するに際し、該給水管２４の下端に存する給水口２４ａの周囲のコンクリートの流動性が悪く、図８に示すように、不自然な脆弱部２６又は空隙２７を形成してしまう。
【０００７】
よって、本来の被取付部材２１及び成形止水材２２の埋設状態には存在しない脆弱部２６や空隙２７から水が侵入することとなり、使用実情に沿った止水状態を検査することができないおそれがある。
【課題を解決するための手段】
【０００８】
本発明は、簡便且つ適切に止水検査を行うことができる検査装置又は検査方法を提供し、もって、従来存しなかった成形止水材の検査の確立を図るため開発されたものである。
【０００９】
要述すると、本発明に係る成形止水材の止水検査装置は、被取付部材の外面に該被取付部材の長手方向と直交するように成形止水材を取り付け、該成形止水材を取り付けた被取付部材を埋設した直方体状のコンクリートブロックを成形し、該埋設した被取付部材の長手方向の一端部を上記コンクリートブロックの一側面において開放すると共に同他端部を上記コンクリートブロックの他側面において開放する構成を有し、該被取付部材の一端部とその周囲の上記コンクリートブロックの一側面を浸水させる貯水部と、該貯水部に給水する給水手段と、該給水手段により上記貯水部に貯まった水を加圧する加圧手段と、上記貯水部に貯まった水の水圧を測定する水圧測定手段とを備えることにより、上記貯水部内の上記コンクリートブロックの一側面から上記被取付部材の外面に沿う間隙を通じ浸入する侵入水が上記コンクリートブロックの他側面から染み出したか否かによって上記止水材による止水状態を確認すると共に当該止水状態と上記貯水部における水圧との相関関係を確認することができる。
【００１０】
加えて、上記被取付部材の他端部を固定する固定部を備え、該固定部により上記被取付部材が上記貯水部における水圧により上記コンクリートブロックから抜け外れるのを防止する。
【００１１】
又上記コンクリートブロックの上記一側面及び上記他側面以外の四面を金属製の板で覆い、当該コンクリートブロックの崩壊を防止する。
【００１２】
又本発明に係る止水検査方法は以下のＡ乃至Ｇの工程を有することを特徴とする。
Ａ：被取付部材の外面に該被取付部材の長手方向と直交するように成形止水材を取り付ける、
Ｂ：上記成形止水材を取り付けた被取付部材を埋設した直方体状のコンクリートブロックを成形し、該埋設した被取付部材の長手方向の一端部を上記コンクリートブロックの一側面において開放すると共に同他端部を上記コンクリートブロックの他側面において開放する、
Ｃ：上記被取付部材の他端部を固定し該被取付部材が上記貯水部における水圧により上記コンクリートブロックから抜け外れるのを防止する、
Ｄ：該被取付部材の一端部とその周囲の上記コンクリートブロックの一側面を浸水させる貯水部と、該貯水部に給水する給水手段と、該給水手段により上記貯水部に貯まった水の水圧を測定する水圧測定手段とを用意し、上記貯水部に上記給水手段により給水する、
Ｅ：加圧手段を用意し、上記貯水部内に貯まった水を加圧する、
Ｆ：上記貯水部内の上記コンクリートブロックの一側面から上記被取付部材の外面に沿う間隙を通じ浸入する侵入水が上記コンクリートブロックの他側面から染み出したことを確認できるまで上記加圧手段による加圧を継続する、
Ｇ：上記侵入水が上記コンクリートブロックの他側面から染み出したか否かによって上記止水材による止水状態を確認すると共に当該止水状態と上記貯水部における水圧との相関関係を確認する。
【００１４】
又上記コンクリートブロックの上記一側面及び上記他側面以外の四面を金属製の板で覆い、当該コンクリートブロックの崩壊を防止する。
【発明の効果】
【００１５】
本発明に係る成形止水材の止水検査装置又は止水検査方法によれば、容易に成形止水材の使用実態に即した検査を行うことができ、成形止水材の開発に大いに貢献できる。
【図面の簡単な説明】
【００１６】
【図１】本発明に係る止水検査装置の斜視図である。
【図２】図１のＡ−Ａ線断面図である。
【図３】貯水部と被取付部材との関係を概示する正面図である。
【図４】本発明に係る止水検査装置の他例を示す断面図である。
【図５】コンクリートブロックの断面図である。
【図６】本発明に係る止水検査方法の工程を概示するフローチャートである。
【図７】従来の止水検査装置の斜視図である。
【図８】従来の止水検査装置のＢ−Ｂ線断面図である。
【発明を実施するための形態】
【００１７】
以下本発明に係る止水検査装置及び止水検査方法を図１乃至図６に基づき説明する。
【００１８】
≪止水検査装置≫
本発明に係る成形止水材の止水検査装置は図１乃至図３に示すように、基本構造として、被取付部材１及び該被取付部材１に取り付けられた成形止水材２を埋設するコンクリートブロック３と、該コンクリートブロック３を固定し支持する架台４とから成る構成を有している。尚図中５は架台４を構成するＣ形のチャンネル材であり、該チャンネル材５を縦横に組み合わせボルト締めして架台４を構成する。
【００１９】
加えて、本発明に係る止水検査装置は、被取付部材１の一端部１ｂとその周囲のコンクリート面（コンクリートブロック３の側面３ａ）を浸水させる貯水部６と、該貯水部６に給水する水道管と蛇口から成る給水手段７と、該給水手段７により貯水部６に貯まった水の水圧を測定する圧力計から成る水圧測定手段８とを備えている。尚図中９は給水前に貯水部６内に存する空気を排出する空気排出手段であり、図中１０は水圧測定手段８と貯水部６とを連通させる連通管である。
【００２０】
又図２に示すように、給水手段７に更に手動式又は電動式のポンプから成る加圧手段１５を連設し、貯水部６内の水を加圧する。
【００２１】
≪被取付部材１及び成形止水材２を埋設したコンクリートブロック３の構成≫
次に本発明に係る止水検査装置の細部構造について説明する。
まず、上記被取付部材１は図示の如く円筒状を呈し、該被取付部材１の外周面（外面）１ａの中途部に該被取付部材１の長手方向に直交するように、ゴム（水膨張ゴム、非膨張ゴム）等のシール性を有する材をリング状に成形した成形止水材２を嵌合して取り付ける構成となっている。
【００２２】
そして上記成形止水材２を取り付けた被取付部材１をコンクリートブロック３形成用の型枠内に配し、該型枠を介してコンクリートを打設して養生し、図２に示すように、上記成形止水材２を取り付けた被取付部材１を埋設した構成のコンクリートブロック３を成形する。
【００２３】
又上記コンクリートブロック３は、上記埋設した被取付部材１の長手方向の一端部１ｂをコンクリートブロック３の一側面３ａにおいて開放すると共に同他端部１ｃを上記コンクリートブロック３の他側面３ｂにおいて開放する構成、すなわち被取付部材１をコンクリートブロック３の一側面３ａ側から他側面３ｂ側へ貫通するように埋設する構成を有している。尚被取付部材１の解放された一端部１ｂには後記する貯水部６から該被取付部材１の筒状内部への水の浸入を防ぐキャップ１１が取り付けられている。又被取付部材１の解放された他端部１ｃには後記する固定部１２と係合する環状の押さえ部１３が取り付けられている。
【００２４】
又コンクリートブロック３は、本発明に係る止水検査装置の他例である図４・図５に示すように、一側面３ａ及び他側面３ｂ以外の四面、すなわち上面３ｃ及び下面３ｄと上記一側面３ａ及び上記他側面３ｂ以外の側面３ｅ・３ｆを金属製の板１４で覆う構成としても良い。該金属製板１４は左右端部に屈曲片１４ａを有し、隣接する金属製板１４の屈曲片１４ａ同士をボルト締めして上記四面を覆う。このように金属製板１４でコンクリートブロック３の四面を覆うのは、成形止水材２に用いられている水膨張ゴムが膨張することにより当該コンクリートブロック３にヒビ割れが生じ、ひいては当該コンクリートブロック３が崩壊するのを防止するためである。
【００２５】
≪貯水部６、給水手段７、水圧測定手段８及び加圧手段１５の構成≫
図１乃至図４に示すように、上記貯水部６は後記架台４の一方の支持部４Ｂに形成された矩形状の凹部６´と上記コンクリートブロック３の一側面３ａとから成り、上記被取付部材１の一端部１ｂとその周囲の上記コンクリートブロック３の一側面３ａを浸水させる構成となっている。又上記貯水部６の前面６ａ（コンクリートブロックの一側面３ａとの対向面）には後記する給水手段７を受け入れる給水手段受入孔６ｂを穿設する構成となっている。更に上面６ｃには後記する水圧測定手段８と連通する連通管１０を受け入れる水圧測定手段受入孔６ｄを穿設する構成となっている。
【００２６】
又給水手段７は上記貯水部６の前面６ａに穿設された給水手段受入孔６ｂを介し該貯水部６と連設する構成となっている。又該給水手段７に更に加圧手段１５を連設する構成となっている。
【００２７】
又水圧測定手段８は上記貯水部６の上面６ｃに穿設された水圧測定手段受入孔６ｄを介し、連通管１０を通じて上記貯水部６内の水圧を測定可能となるように連設されている。尚図２・図４中の１７は貯水部６の上面６ｃ側又は下面６ｅ側からの水漏れを防止するパッキンである。
【００２８】
≪架台４の構成≫
図１乃至図４に示すように、架台４はＣ形のチャンネル材５を縦横に組み合わせボルト締めして構成され、土台部４Ａと上記コンクリートブロック３及び上記貯水部６を固定支持する一対の支持部４Ｂとから成る。
【００２９】
土台部４Ａは左右方向に横たわる一対のチャンネル材５と該一対のチャンネル材５上に重ねた前後方向に横たわる一対のチャンネル材５とから成り、これら上下二段のチャンネル材５をボルト締めして構成する。
【００３０】
又一対の支持部４Ｂは上記土台部４Ａの上段のチャンネル材５から対向して立設し、四本のチャンネル材５をロ字状にボルト締めする構成となっている。又該一対の支持部４Ｂの一方（図２・図４中、左側の支持部４Ｂ）には上記貯水部６を構成する矩形状凹部６´を形成する。そして該一対の支持部４Ｂ間に上記コンクリートブロック３を挾持した状態で棒状部材１６により連結する構成となっている。
【００３１】
又上記一対の支持部４Ｂの他方（図２・図４中、右側の支持部４Ｂ）には被取付部材他端部１ｃを押さえ部１３を介して固定する固定部１２を備えている。該固定部１２により被取付部材１が貯水部６の水圧によってコンクリートブロック３から抜け外れるのを防止する。
【００３２】
尚既述した説明においては、被取付部材１として円筒状部材を用いて説明しているが、本発明はこれに限定されるものではなく、円柱状部材や断面多角形の柱状部材又は筒状部材等のように、コンクリートブロック３を貫通するように埋設でき成形止水材２を取り付けられる部材であれば、特に形状は限定しない。又被取付部材１の材質も特に限定しない。
【００３３】
又成形止水材２としてリング状に成形したものを例示して説明したが、直線状に成形した成形止水材２を被取付部材１の外面１ｃに巻着しても良い。又実施に応じて複数の成形止水材２を被取付部材１に取り付けることも任意である。
【００３４】
≪止水検査方法≫
次に図６に基づき、本発明に係る止水検査方法について説明する。
まずは、上記説明した図１乃至図５に示す止水検査装置を構成することにより、図６に示す初期の一部工程を実施する。
【００３５】
すなわち、止水検査装置を構成することにより、被取付部材１に成形止水材２を取り付ける工程Ｓ１、被取付部材１（成形止水材２を取り付けた状態）を埋設したコンクリートブロック３を成形する工程Ｓ２、該被取付部材１を埋設したコンクリートブロック３を架台４に固定し支持する工程Ｓ３を実施する。
【００３６】
その後、給水手段７により貯水部６への給水を開始し給水工程Ｓ４を行う。この際に貯水部６への給水に伴い同貯水部６に存する空気が空気排出手段９により排出されつつ同貯水部６に徐々に水が貯まる。次いで貯水部６に貯まった水に加圧手段１５により加圧工程Ｓ５を行う。
【００３７】
そして、貯水部６に貯まり加圧された水の一部は、コンクリートブロック３のコンクリートと被取付部材１の外面１ａ間に生ずる僅かな厚みの空隙、つまり被取付部材１の外面１ａに沿ってコンクリートブロック３の一側面３ａから同他側面３ｂに通ずる微細間隙に侵入する。
【００３８】
上記微細間隙に侵入した侵入水は被取付部材１の外面１ａに沿って同被取付部材１の一端部１ｂ側から同他端部１ｃ側へと徐々に侵入を継続する。そして該侵入水が成形止水材２まで到達すると、該成形止水材２が侵入水を堰き止め止水を行う。
【００３９】
上記成形止水材２が不良である場合、正常であっても上記侵入水による水圧に耐えられなくなった場合には、上記侵入水が成形止水材２を乗り越えて上記微細間隙内を更に進み、被取付部材１の外面１ａに沿って他端部１ｃ側に到達し、すなわちコンクリート３の他側面３ｂに到達して染み出す。このコンクリート３の他側面３ｂからの侵入水の染み出しを目視により確認する工程が図６のＳ６である。
【００４０】
該確認工程Ｓ６は上記加圧工程５と並行に行い、侵入水の染み出しが確認できなければ、水圧測定手段８により貯水部６の水圧を測定Ｓ７し、該貯水部６内の水への加圧工程Ｓ５を継続する。
【００４１】
又侵入水の染み出しを確認した場合、水圧測定手段８により貯水部６の水圧を測定する工程Ｓ８を経て終了する。
【００４２】
したがって、本発明に係る止水検査方法によれば、簡易構造の上記止水検査装置を構成することにより上記Ｓ１乃至Ｓ３の工程を実施して成形止水材２の使用状態に沿う状況を適切に再現し、更に上記Ｓ４乃至Ｓ８の工程によって成形止水材２の止水状態と貯水部６内の水圧との相関関係を容易に確認することでき、検査対象の成形止水材２がどの程度の水圧まで健全に止水効果を保つことができるかを確認することができる。
【００４３】
これにより、成形止水材２の取付予定箇所における雨水や地下水の水圧にどの程度まで耐えうるかを明白に把握できる。又検査結果により成形止水材２の取付予定箇所を適宜選択できる。
【産業上の利用可能性】
【００４４】
本発明に係る成形止水材の止水検査装置又は止水検査方法によれば、容易且つ適切に成形止水材の止水状態をチェックすることができ、どの程度の水圧まで耐えうるかを明確に把握できる。
【００４５】
よって、本発明に係る止水検査装置又は止水検査方法は、確立した止水検査装置又は止水検査方法として採用され得るものであり、ひいては多種多様のコンクリート構造物に用いられる成形止水材の開発に大いに貢献できる。
【符号の説明】
【００４６】
１…被取付部材、１ａ…外面（外周面）、１ｂ…一端部、１ｃ…他端部、２…成形止水材、３…コンクリートブロック、３ａ…一側面、３ｂ…他側面、３ｃ…上面、３ｄ…下面、３ｅ…側面、３ｆ…側面、４…架台、４Ａ…土台部、４Ｂ…支持部、５…チャンネル材、６…貯水部、６ａ…前面、６ｂ…給水手段受入孔、６ｃ…上面、６ｄ…水圧測定手段受入孔、６ｅ…下面、６´…凹部、７…給水手段、８…水圧測定手段、９…空気排出手段、１０…連通管、１１…キャップ、１２…固定部、１３…押さえ部、１４…金属製板、１４ａ…屈曲片、１５…加圧手段、１６…棒状部材、１７…パッキン、２１…被取付部材、２１ａ…外周面、２１ｂ…一端部、２１ｃ…他端部、２２…成形止水材、２３…コンクリートブロック、２３ａ…一側面、２３ｂ…他側面、２４…給水管、２４ａ…給水口、２５…水圧測定手段、２６…脆弱部、２７…空隙、Ｓ１…被取付部材への成形止水材の取付工程、Ｓ２…コンクリートブロックの成形工程、Ｓ３…コンクリートブロックの固定支持工程、Ｓ４…給水工程、Ｓ５…加圧工程、Ｓ６…侵入水の染み出し確認工程、Ｓ７…水圧測定工程、Ｓ８…水圧測定工程。
【要約】
【課題】  簡便且つ適切に成形止水材の止水検査を行うことができる検査装置又は検査方法の提供。
【解決手段】  被取付部材の外面に該被取付部材の長手方向と直交するように成形止水材を取り付け、該成形止水材を取り付けた被取付部材を埋設した直方体状のコンクリートブロックを成形し、該埋設した被取付部材の長手方向の一端部を上記コンクリートブロックの一側面において開放すると共に同他端部を上記コンクリートブロックの他側面において開放する構成を有し、該被取付部材の一端部とその周囲の上記コンクリートブロックの一側面を浸水させる貯水部と、該貯水部に給水する給水手段と、該給水手段により上記貯水部に貯まった水を加圧する加圧手段と、上記貯水部に貯まった水の水圧を測定する水圧測定手段とを備えた止水検査装置、又は該止水検査装置を利用した止水検査方法を提供する。
【選択図】  図２【図１】
0005608300.tif 000002
【図２】
0005608300.tif 000003
【図３】
0005608300.tif 000004
【図４】
0005608300.tif 000005
【図５】
0005608300.tif 000006
【図６】
0005608300.tif 000007
【図７】
0005608300.tif 000008
【図８】
0005608300.tif 000009